【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
式（Ｉ）のモノマーユニットを含み、２．６ｅＶよりも高い三重項エネルギーを有するねじれ高分子カルバゾール化合物。
-（Ｃ1）-（Ｃ2）x-（Ｃ3）y-（Ｐ）n-  （Ｉ）
（式中、
ｘおよびｙは０または１であり、
ｎは０または０よりも大きい整数であり、
Ｃ1は次式（ＩＩ）の化合物であり、
【化１】
2009524703.tif 000001
（ＩＩ）
Ｃ2は次式（ＩＩＩ）の化合物であり、
【化２】
2009524703.tif 000002
（ＩＩＩ）
Ｃ3は次式（ＩＶ）の化合物であり、
【化３】
2009524703.tif 000003
（ＩＶ）
Ｐは次式（Ｖ）の化合物であり、
【化４】
2009524703.tif 000004
（Ｖ）
Ｒ1、Ｒ2、Ｒ3、Ｒ4、Ｒ6、Ｒ7、Ｒ8、Ｒ9、Ｒ11、Ｒ12、Ｒ13、Ｒ14、Ｒ16、Ｒ17、Ｒ18およびＲ19はＨまたは−ＯＲ41、−ＯＲ42、−ＳＲ41、−ＳＲ42、−ＮＲ41Ｒ45、および−ＮＲ42Ｒ45から成るグループから選択された置換基であり、
Ｒ5、Ｒ10、およびＲ15はそれぞれの出現毎に同一または異り、Ｒ41またはＲ42から選択され、
Ｒ41は炭素数１０〜２０の環式または非環式で直鎖または分岐アルキルであり、−Ｏ−、−ＯＣ（＝Ｏ）−、−Ｃ（＝Ｏ）Ｏ−、−Ｓ−、第二級窒素、第三級窒素、第四級窒素、−ＣＲ45＝ＣＲ46−、−Ｃ≡Ｃ−、−Ｃ（＝Ｏ）−、−Ｃ（＝Ｏ）ＮＲ45−、−ＮＲ45Ｃ（＝Ｏ）−、−Ｓ（＝Ｏ）−、−Ｓ（＝Ｏ）2−、または−Ｘ6−で一回以上分断されていてもよく、および／または一回以上Ｒ42、Ｒ57、またはＲ58で置換されたものであってもよく、
Ｒ42は炭素数５〜３０のアリールであり、一つ以上の芳香族炭素原子はＮ、ＯまたはＳで置換されていてもよく、一つ以上の芳香族炭素原子はＲ41、Ｒ57、またはＲ58基を有していてもよく、
Ｒ57は、−ＣＮ、−ＣＦ3、−ＣＳＮ、−ＮＨ2、−ＮＯ2、−ＮＣＯ、−ＮＣＳ、−ＯＨ、−Ｆ、−ＰＯ2、−ＰＨ2、−ＳＨ、−Ｃｌ、−Ｂｒ、または−Ｉであり、
Ｒ58は、−Ｃ（＝Ｏ）Ｒ45、−Ｃ（＝Ｏ）ＯＲ45、−Ｃ（＝Ｏ）ＮＲ45Ｒ46、−ＮＨＲ45、−ＮＲ45Ｒ46、−Ｎ(+)Ｒ45Ｒ46Ｒ47、−ＮＣ（＝Ｏ）Ｒ45−、−ＯＲ45、−ＯＣ（＝Ｏ）Ｒ45、−ＳＲ45、−Ｓ（＝Ｏ）Ｒ45、または−Ｓ（＝Ｏ）2Ｒ45であり、
Ｒ45、Ｒ46、およびＲ47はそれぞれの出現毎に同一または異なる、Ｈ、Ｒ41、またはＲ42であり、
Ｘ6は炭素数４〜３０のアリーレンであり、一つ以上の芳香族炭素原子はＮ、ＯまたはＳで置換されていてもよく、一つ以上の芳香族炭素原子はＲ41、Ｒ57、またはＲ58基を有していてもよく、
ｘが０であり、ｙが０であり、およびｎが１以上である場合には、
少なくとも一つの［Ｒ3、Ｒ4、Ｒ16、およびＲ17］および少なくとも一つの［Ｒ16、Ｒ17、Ｒ18、およびＲ19］は一つの前記置換基であり、
ｘが０であり、ｙが１であり、およびｎが０である場合には、
少なくとも一つの［Ｒ3、Ｒ4、Ｒ11、およびＲ12］は一つの前記置換基であり、
ｘが０であり、ｙが１であり、およびｎ≧１である場合には、
少なくとも一つの［Ｒ3、Ｒ4、Ｒ11、およびＲ12］および少なくとも一つの［Ｒ13、Ｒ14、Ｒ16、およびＲ17］および少なくとも一つの［Ｒ16、Ｒ17、Ｒ18、およびＲ19］は一つの前記置換基であり、
ｘが１であり、ｙが０であり、およびｎが０である場合には、
少なくとも一つの［Ｒ3、Ｒ4、Ｒ6、およびＲ7］は一つの前記置換基であり、
ｘが１であり、ｙが０であり、およびｎが１以上である場合には、
少なくとも一つの［Ｒ3、Ｒ4、Ｒ6、およびＲ7］および少なくとも一つの［Ｒ8、Ｒ9、Ｒ16、およびＲ17］および少なくとも一つの［Ｒ16、Ｒ17、Ｒ18、およびＲ19］は一つの前記置換基であり、
ｘが１であり、ｙが１であり、およびｎが０である場合には、
少なくとも一つの［Ｒ3、Ｒ4、Ｒ6、およびＲ7］および少なくとも一つの［Ｒ8、Ｒ9、Ｒ11、およびＲ12］は一つの前記置換基あり、
ｘが１であり、ｙが１であり、およびｎ≧１である場合には、
少なくとも一つの［Ｒ3、Ｒ4、Ｒ6、およびＲ7］および少なくとも一つの［Ｒ8、Ｒ9、Ｒ11、およびＲ12］および少なくとも一つの［Ｒ13、Ｒ14、Ｒ16、およびＲ17］および少なくとも一つの［Ｒ16、Ｒ17、Ｒ18、およびＲ19］は一つの前記置換基である。）
【請求項２】
請求項１に記載のねじれ高分子カルバゾール化合物であって、
式中、
ｘが０であり、ｙが０であり、およびｎ≧１である場合には、
少なくとも一つの［Ｒ3、Ｒ4］、および少なくとも一つの［Ｒ16、Ｒ17］は一つの前記置換基であり、
ｘが０であり、ｙが１であり、およびｎが０である場合には、
少なくとも一つの［Ｒ3、Ｒ4］、および少なくとも一つの［Ｒ11、Ｒ12］は一つの前記置換基であり、
ｘが０であり、ｙが１であり、およびｎ≧１である場合には、
少なくとも一つの［Ｒ3、Ｒ4］、および少なくとも一つの［Ｒ11、Ｒ12］、および少なくとも一つの［Ｒ13、Ｒ14］、および少なくとも一つの［Ｒ16、Ｒ17］は一つの前記置換基であり、
ｘが１であり、ｙが０であり、およびｎが０である場合には、
少なくとも一つの［Ｒ3、Ｒ4］、および少なくとも一つの［Ｒ6、Ｒ7］は一つの前記置換基であり、
ｘが１であり、ｙが０であり、およびｎ≧１である場合には、
少なくとも一つの［Ｒ3、Ｒ4］、および少なくとも一つの［Ｒ6、Ｒ7］、および少なくとも一つの［Ｒ16、Ｒ17］、および少なくとも一つの［Ｒ18、Ｒ19］は一つの前記置換基であり、
ｘが１であり、ｙが１であり、およびｎが０である場合には、
少なくとも一つの［Ｒ3、Ｒ4］、および少なくとも一つの［Ｒ11、Ｒ12］、および少なくとも一つの［Ｒ6、Ｒ7、Ｒ8、Ｒ9］は一つの前記置換基であり、
ｘが１であり、ｙが１であり、およびｎ≧１である場合には、
少なくとも一つの［Ｒ3、Ｒ4］、および少なくとも一つの［Ｒ6、Ｒ7］、および少なくとも一つの［Ｒ8、Ｒ9］、および少なくとも一つの［Ｒ11、Ｒ12］、および少なくとも一つの［Ｒ13、Ｒ14］、および少なくとも一つの［Ｒ16、Ｒ17］は一つの前記置換基である化合物。
【請求項３】
請求項１に記載のねじれ高分子カルバゾール化合物であって、
式中、ｘは１であり、ｙは０であり、ｎは１であり、Ｒ1、Ｒ2、Ｒ3、Ｒ7、Ｒ8、Ｒ9、Ｒ17およびＲ19のそれぞれはＨであり、Ｒ4、Ｒ6、Ｒ16およびＲ18のそれぞれは−ＯＲ41であり、Ｒ5およびＲ10のそれぞれはＲ41である化合物。
【請求項４】
請求項１に記載のねじれ高分子カルバゾール化合物であって、
式中、ｘは１であり、ｙは１であり、ｎは０であり、Ｒ2、Ｒ3、Ｒ6、Ｒ7、Ｒ8、Ｒ12、Ｒ13、Ｒ14のそれぞれはＨであり、Ｒ1、Ｒ4、Ｒ9、Ｒ11のそれぞれは−ＯＲ41であり、Ｒ5、Ｒ10およびＲ15のそれぞれはＲ41である化合物。
【請求項５】
請求項１に記載のねじれ高分子カルバゾール化合物であって、
式中、ｘは１であり、ｙは１であり、ｎは０であり、Ｒ1、Ｒ2、Ｒ3、Ｒ7、Ｒ8、Ｒ9、Ｒ12、Ｒ13のそれぞれはＨであり、Ｒ4、Ｒ6、Ｒ11、およびＲ14のそれぞれは−ＯＲ41であり、Ｒ5、Ｒ10およびＲ15のそれぞれはＲ41である化合物。
【請求項６】
請求項１乃至５の何れか一項に記載のねじれ高分子カルバゾール化合物であって、
式中、−ＯＲ41はメトキシ（−ＯＣＨ3、ＭｅＯ）である化合物。
【請求項７】
請求項１乃至５の何れか一項に記載のねじれ高分子カルバゾール化合物であって、
式中、−ＯＲ41は化学式−ＯＣ10Ｈ21の直鎖または分岐アルコキシ鎖である化合物。
【請求項８】
請求項７に記載のねじれ高分子カルバゾール化合物であって、
式中、前記化学式−ＯＣ10Ｈ21の直鎖または分岐アルコキシ鎖は３、７−ジメチルオクチルオキシである化合物。
【請求項９】
請求項１乃至８の何れか一項に記載のねじれ高分子カルバゾールであって、
式中、Ｒ41は化学式−Ｃ10Ｈ21の直鎖または分岐アルキル鎖である化合物。
【請求項１０】
請求項９に記載のねじれ高分子カルバゾール化合物であって、
式中、前記化学式−Ｃ10Ｈ21の直鎖または分岐アルキル鎖は３、７−ジメチルオクチルである化合物。
【請求項１１】
請求項１乃至１０の何れか一項に記載のねじれ高分子カルバゾール化合物を有する半導体材料。
【請求項１２】
請求項１１に記載の半導体材料を有するエレクトロルミネッセントデバイス。
【請求項１３】
請求項１２に記載のエレクトロルミネッセントデバイスであって、
前記半導体材料はルミネッセント発光材と組み合わせるエレクトロルミネッセントデバイス。
【請求項１４】
請求項１乃至１０の何れか一項に記載のねじれ高分子カルバゾール化合物の合成方法。
【請求項１５】
請求項１乃至１０の何れか一項に記載のねじれ高分子カルバゾール化合物の半導体材料としての使用。
【請求項１６】
請求項１乃至１０の何れか一項に記載のねじれ高分子カルバゾール化合物のルミネッセント発光材に対するホストマトリックスとしての使用。